(57)【特許請求の範囲】
【請求項１】
かみそり本体（１）の上端のヘッド部（４）に、モータ動力で駆動される内刃（３）と、外刃（６）を支持し、ヘッド部（４）に対して着脱自在に装着される外刃ホルダー（２）とが設けられており、
内刃（３）とヘッド（４）との間には、切断された毛屑を収容する空所（Ｓ）が設けられており、
空所（Ｓ）に臨むヘッド部（４）の上面に、空所（Ｓ）の前面から流入する水流を内刃（３）の周面裏側へ向かって変向案内するガイド部（Ｇ）が内刃（３）に近接して設けてあり、このガイド部（Ｇ）は、ヘッド部（４）の後端に設けたガイド体（３１）を含み、
ヘッド部（４）の背面側に内刃（３）用の清掃具が配置してあり、
清掃具は、ガイド体（３１）で軸支される支持アーム（２１）と、支持アーム（２１）で上下に揺動操作される清掃体（２０）と、清掃体（２０）の外面を覆うキャップ状のカバー（２２）とを含み、
支持アーム（２１）が、清掃体（２０）が内刃（３）の周面に外接する清掃位置と、清掃体（２０）およびカバー（２２）がヘッド部（３）の背面の格納部（３７）に待機格納される待機位置とに、上下に反転揺動可能にガイド体（３１）で軸支されていることを特徴とする水洗い式の電気かみそり。
【請求項２】
ガイド部（Ｇ）が複数個のガイド体（３０・３１）で構成してある請求項１記載の水洗い式の電気かみそり。
【請求項３】
ガイド部（Ｇ）がヘッド部（４）の後端に設けたガイド体（３１）と、ガイド体（３１）の上端に設けられる補助ガイド体（３３）を含む請求項１または２記載の水洗い式の電気かみそり。
【請求項４】
ガイド部（Ｇ）が、ヘッド部（４）の上面に沿って空所（Ｓ）の前面から後面へ向かって上り傾斜状に配置されるガイド体（３０）を含む請求項１、２または３記載の水洗い式の電気かみそり。
【請求項５】
ガイド部（Ｇ）が、ヘッド部（４）の上面に沿って空所（Ｓ）の左右両側に配置されるサイドガイド（３２）を含む請求項１、２、３または４記載の水洗い式の電気かみそり。
【請求項６】
ガイド部（Ｇ）が、ヘッド部（４）の後端に立設される後段ガイド体（３１）と、空所（Ｓ）の前面から後面へ向かって上り傾斜状に湾曲する前段ガイド体（３０）とを含む請求項１、２、３、４または５記載の水洗い式の電気かみそり。
【請求項７】
外刃ホルダー（２）をヘッド部（４）に装着した状態において、ガイド体（３１）より前側の空所Ｓおよび内刃（３）の外面が、外刃ホルダー（２）で覆われている請求項１乃至６のいずれかに記載の水洗い式の電気かみそり。
【請求項８】
外刃ホルダー（２）の背面開口の左右側縁に嵌合リブ（５５）が突設されており、ガイド体（３１）の両側端に、嵌合リブ（５５）をスライド案内するガイド壁（５４）が設けてある請求項１乃至７のいずれかに記載の水洗い式の電気かみそり。
【請求項９】
格納部（３７）に待機格納したカバー（２２）が、カバー（２２）の内面上部とガイド体（３１）との間に設けた係止ロック（３９）と、カバー（２２）の外面下部と格納部（３７）の底面との間に設けた係合ロック（４０）とで待機保持してある請求項１乃至８のいずれかに記載の水洗い式の電気かみそり。
【請求項１０】
ガイド部（Ｇ）がヘッド部（４）の後端に設けたガイド体（３１）と、ガイド体（３１）の上端に設けられる補助ガイド体（３３）を含み、
支持アーム（２１）が補助ガイド（３３）を兼ねている請求項１乃至９のいずれかに記載の水洗い式の電気かみそり。
【請求項１１】
ガイド部（Ｇ）が、ヘッド部（４）の上面に沿って空所（Ｓ）の左右両側に配置されるサイドガイド（３２）を含み、
内刃（３）を回転自在に軸支する左右一対の内刃支持枠（５）が、サイドガイド（３２）を兼ねている請求項１乃至１０のいずれかに記載の水洗い式の電気かみそり。
【請求項１２】
ヘッド部（４）の後端に設けたガイド体（３１）の左右両端と、左右一対の内刃支持枠（５）とが前後に隣接接当されて、ガイド体（３１）と内刃支持枠（５）とが相互に補強体として作用し合う請求項１乃至１１のいずれかに記載の水洗い式の電気かみそり。
【請求項１３】
内刃（３）の下周面と対向するヘッド部（４）に空所（Ｓ）の前面から後面へ向って上り傾斜する前段ガイド体（３０）が設けてある請求項１乃至１２のいずれかに記載の水洗い式の電気かみそり。
【請求項１４】
ガイド部（Ｇ）が前段ガイド体（３０）と後段ガイド体（３１）とを含んでおり、前段ガイド体（３０）が後段ガイド体（３１）に近付くほど曲率半径が小さな連続湾曲面で形成してある請求項１乃至１３のいずれかに記載の水洗い式の電気かみそり。  
【発明の詳細な説明】
【０００１】
【発明の属する技術分野】
この発明は、内刃およびその周辺部を水洗い清掃できる電気かみそりに関する。
【０００２】
【従来の技術】
この種の電気かみそりにおいては、外刃ホルダーをかみそりヘッドから取り外し、内刃を露出した状態で水中に浸し、あるいは流水を内刃の周辺に流し掛けながら、内刃や毛屑室に付着した毛屑を洗い流す。水洗い専用のキャップを外刃ホルダーの代わりに装着して、キャップ内面に設けたブラシを内刃に接当した状態で水洗いを行うようにした電気かみそりもある（実開昭５８−１７４０６８号公報）。
【０００３】
【発明が解決しようとする課題】
水洗い式の電気かみそりは、内刃や毛屑室に付着した毛屑を水で洗い流せるので、かみそりヘッドの手入れの手間を軽減できるうえ、清掃時に毛屑が周辺に飛び散ることもないので衛生的である。とくに、蛇口から噴出する水流を内刃周辺に流し掛けながらクリーニングを行うと、刃面等に付着した皮脂等を水流の衝突衝撃によって剥離除去できるうえ、ブラシ毛の間に詰まった毛屑も同時に洗い流すことができる。しかし、噴出する水流をかみそりヘッドに満遍なく当てるには、電気かみそりを上下に反転し、あるいは横向きにすることなど、水流に対して電気かみそりの姿勢を頻繁に変向する必要があり、煩わしい。
【０００４】
水洗い専用キャップを用いるクリーニング形態においては、噴出する水中の勢いがキャップで削がれるため、水流の衝突衝撃によるクリーニング作用を期待できない。この種のキャップは、常態においてかみそりヘッドから取り外して保管する必要があり、その使用頻度が低いこともあって、保管場所を忘れたり、誤って廃棄してしまうなど紛失しやすい不利もある。
【０００５】
この発明の目的は、蛇口等から噴出する水流を内刃の裏面側へ変向案内でき、従って、電気かみそりの姿勢を頻繁に変向する必要もなく、内刃や毛屑室に付着した毛屑や皮脂等をより短い時間できれいに除去できる水洗い式の電気かみそりを提供することにある。
【０００６】
この発明の他の目的は、内刃用の清掃具を常装していて、通常のかみそり使用時には清掃具がかみそり本体の外面に待機格納され、必要時に限って清掃体を内刃に接触させ、内刃の刃面に付着した毛屑や皮脂を効果的に除去できる水洗い可能な電気かみそりを提供することにある。
この発明の他の目的は、内刃駆動用のギヤ伝動機構が組み込まれているギヤシャーシを利用して、水流を内刃の裏面側へ変向案内できる水洗い可能な電気かみそりを提供することにある。
【０００７】
【課題を解決するための手段】
この発明の電気かみそりは、かみそり本体１の上端のヘッド４に、モータ動力で駆動される内刃３と、外刃６を支持し、ヘッド部４に対して着脱自在に装着される外刃ホルダー２とが設けてある。内刃３とヘッド４との間には、切断された毛屑を収容する空所Ｓが設けられている。空所Ｓに臨むヘッド部４の上面に、空所Ｓの前面から流入する水流を内刃３の周面裏側へ向かって変向案内するガイド部Ｇが内刃３に近接して設けてある。このガイド部Ｇは、ヘッド部４の後端に設けたガイド体３１を含む。ヘッド部４の背面側に内刃３用の清掃具が配置してある。清掃具は、ガイド体３１で軸支される支持アーム２１と、支持アーム２１で上下に揺動操作される清掃体２０と、清掃体２０の外面を覆うキャップ状のカバー２２とを含む。支持アーム２１は、清掃体２０が内刃３の周面に外接する清掃位置と、清掃体２０およびカバー２２がヘッド部３の背面の格納部３７に待機格納される待機位置とに、上下に反転揺動可能にガイド体３１で軸支する。
【０００８】
上記のガイド部Ｇは複数個のガイド体３０・３１で構成する。
【０００９】
ガイド部Ｇはヘッド部４の後端に設けたガイド体３１と、ガイド体３１の上端に設けられる補助ガイド体３３を含む。
【００１０】
ガイド部Ｇは、ヘッド部４の上面に沿って空所Ｓの前面から後面へ向かって上り傾斜状に配置されるガイド体３０を含む。
【００１１】
ガイド部Ｇはヘッド部４の上面に沿って空所Ｓの左右両側に配置されるサイドガイド３２を含む。
【００１２】
ガイド部Ｇは、ヘッド部４の後端に立設される後段ガイド体３１と、空所Ｓの前面から後面へ向かって上り傾斜状に湾曲する前段ガイド体３０を含む。
【００１４】
外刃ホルダー２をヘッド部４に装着した状態において、ガイド体３１より前側の空所Ｓおよび内刃３の外面を、外刃ホルダー２で覆う。
【００１５】
外刃ホルダー２の背面開口の左右側縁に嵌合リブ５５を突設し、ガイド体３１の両側端に、嵌合リブ５５をスライド案内するガイド壁５４を設ける。
【００１６】
格納部３７に待機格納したカバー２２は、カバー２２の内面上部とガイド体３１との間に設けた係止ロック３９と、カバー２２の外面下部と格納部３７の底面との間に設けた係合ロック４０とで待機保持する。また、支持アーム２１は補助ガイド体３３を兼ねている。
【００１７】
支持アーム２１は補助ガイド体３３を兼ねている。また、内刃３を回転自在に軸支する左右一対の内刃支持枠５は、サイドガイド３２を兼ねている。
【００１８】
ヘッド部４の後端に設けたガイド体３１の左右両端と、左右一対の内刃支持枠５とを隣接接当し、ガイド体３１と内刃支持枠５とが相互に補強体として作用し合うようにする。
【００１９】
内刃３の下周面と対向するヘッド部４に空所Ｓの前面から後面へ向かって上り傾斜する前段ガイド体３１を設ける。
【００２０】
ガイド部Ｇは前段ガイド体３０と後段ガイド体３１とを含んでいる。前段ガイド体３０は後段ガイド体３１に近付くほど曲率半径が小さな連続湾曲面で形成する。
【００２１】
【作用および発明の効果】
空所Ｓに臨むヘッド部４の上面にガイド部Ｇを設け、図１１に示すように水洗い状態において空所Ｓの前面から流入する水流をガイド部Ｇで変向案内して、内刃３を周面裏側に水流を送給するので、水洗い時に電気かみそりを上下反転し、あるいは横向きにする必要もなく、内刃３や空所Ｓの周辺壁に付着した毛屑や皮脂等を、短時間で確実に清掃除去できる。
【００２２】
ガイド部Ｇを複数個のガイド体３０・３１で構成すると、空所Ｓに流れ込んだ水流を、内刃３の周面裏側へ的確に変向案内できるうえ、変向された水流の向きや勢いを多様化して、内刃３やその周辺に付着した毛屑や皮脂等を、変向水流の水撃作用によって洗い落とすことができる。
【００２３】
ヘッド部４の後端のガイド体３１と、ガイド体３１の上端に設けた補助ガイド体３３とを含んで構成したガイド部Ｇによれば、ガイド体３１で変向案内された水流の最終的な指向方向を、補助ガイド体３３によってさらに厳密に規定できる。従って、空所Ｓに流し込まれる水量が少ない場合にも、内刃３の周面裏側へ向かって水流を的確に変向案内できる。
【００２４】
空所Ｓの後面へ向かって上り傾斜状に配置したガイド体３０によれば、空所Ｓを通過する水流の向きを徐々に滑らかに変向できるので、水流の勢いがガイド体３０によって削がれるのを抑止し、その分だけ水流の衝突作用による毛屑や皮脂等の剥離効果を向上できる。
【００２５】
空所Ｓの左右両側にサイドガイド３２を設けたガイド部構造によれば、空所Ｓ内を通過する水流が、左右側方から空所へ流れ落ちるのをサイドガイド３２によって阻止できるので、内刃３の周面裏側へ回り込む水流の量を増加し、その分だけ効果的な水洗い洗浄を行える。
【００２６】
後面へ向かって上り傾斜状に湾曲する前段ガイド体３０と、後段ガイド体３１とを備えているガイド部Ｇによれば、空所Ｓへ流入する水流を前段ガイド体３０で徐々に変向案内した後、後段ガイド体３１で内刃３の周面裏側へ向かって指向させることができるので、水流の勢いを最後まで保つことができ、その分だけ内刃３等の水洗い清掃を確実に行える。
【００２７】
清掃具を備えている電気かみそりにおいては、清掃体２０を内刃３の周面に外接した状態で水洗い清掃を行うことにより、内刃３と清掃体２０との相対運動によって、内刃３に付着した毛屑や皮脂を強制的に掻き落とすことができるので、内刃３の清掃を確実にかつ迅速に行える。支持アーム２１を上下に揺動反転することにより、清掃体２０をこれが内刃３に接触する清掃位置とヘッド部４の背面の待機位置とに変位操作できるので、内刃３の清掃が必要な状態に限って清掃体２０を内刃３に接触でき、通常の使用時には、清掃体２０、カバー２２および支持アーム２１を、邪魔にならない状態で待機格納できる。
【００２８】
内刃支持枠５より後方にガイド３１を突設し、ガイド体３１より前方の空所Ｓおよび内刃３の外面等を外刃ホルダー２で覆うようにした外刃ホルダーの装着形態によれば、ヘッド部４の両側面と前面、およびガイド体３１とで外刃ホルダー２を安定した状態でぐらつきなく保持固定できる。とくに、外刃ホルダー２の嵌合リブ５５を、ガイド体３１の両端のガイド壁５４で装着案内する外刃ホルダーの装着形態によれば、外刃ホルダー２の前後方向のぐらつきをよく防止できる。
【００２９】
待機位置に格納したカバー２２の上下を、ガイド体３１とカバー２２、および格納部３７の底面とカバー２２との間に設けた係止ロック３９および係合ロック４０とで、ロック保持するので、ひげそり時に清掃具が格納位置から外れて遊動するのを防止し、ひげそり動作の邪魔になるのを解消できる。
【００３０】
支持アーム２１はガイド体３１に軸支されて、清掃時には清掃体２０が内刃３に外接するように上方揺動している。従って、支持アーム２１を補助ガイド体３３として利用すると、ガイド部Ｇの構造が複雑化するのを避けながら、支持アーム２１で水流を内刃３へ向かって確実に案内することができる。また、左右一対の内刃支持枠５をサイドガイド３２として利用すると、別途サイドガイド３２を設ける必要がないので、その分だけヘッド部４の構造を簡素化できる。
【００３１】
ヘッド部４の後端に設けたガイド体３１と左右一対の内刃支持枠５とを隣接接当させて、それぞれが隣接相手を補強し合うようにしたヘッド構造によれば、例えば、落下衝撃を受けるような場合にも、ガイド体３１や内刃支持枠５が破損するのを防止できる。
【００３２】
空所Ｓの下面に後方へ向かって上り傾斜する前段ガイド体３０を設け、前段ガイド体３０と、これに連続する後段ガイド体３１とで、空所Ｓに流入する水流を内刃３の周面裏側と清掃体２０との間へ変向案内する電気かみそりによれば、水流の向きを両ガイド体３０・３１で協同して変向できるので、内刃３と清掃体２０との間に達する水流の勢いが削がれるのを防止し、その分だけ水流による洗浄効果を向上できる。とくに、前段ガイド体３０を連続湾曲面で形成し、その曲率半径を後段ガイド体３１に近付くほど小さくしたガイド部構造によれば、水流を徐々に滑らかに変向案内できるので、水流の勢いを維持して、水撃作用による洗浄効果をさらに向上できる。
【００３３】
【実施例】
図１ないし図１１は本発明に係る水洗い式のロータリ式電気かみそりの実施例を示す。図２ないし図６において電気かみそりはかみそり本体１と、その上部のヘッド部４に着脱自在に装着した外刃ホルダー２と、かみそり本体１の背面上部に配置した内刃３用の清掃具などをそなえている。ヘッド部４の上面左右には、左右一対の内刃支持枠５が設けてあり、一対の内刃支持枠５の上端間に、横軸まわりに回転する内刃３が軸支してある。図３に示すように内刃３を駆動するために、かみそり本体１の内部にモータ７と二次電池８とを設けてあり、モータ７の動力はギヤ伝動機構９を介して内刃３に伝わる。ギヤ伝動機構９は、ヘッドケース１０と図に向かって右方の内刃支持枠５の内部に組み込んである。図２中、符号１１はモータ起動用のスイッチノブである。
【００３４】
外刃ホルダー２は上下面が開口する中空枠状に形成してあり、その内面上部に外刃６が装着してある。外刃ホルダー２をヘッド部４に上方から外嵌装着することにより、外刃６が内刃３の上周面に外接する。図４に示すように外刃ホルダー２の背面に隣接する状態で清掃具を配置し、さらにその下側にきわぞり刃ユニット１４を配置してある。きわぞり刃ユニット１４は、切換ノブ１５を上方をスライドすることのより、かみそり本体１に沿う待機位置から、後ろ向きに突出する使用位置へ跳ね上がり揺動できる。
【００３５】
図５において清掃具は、ロール状のブラシ（清掃体）２０と、ブラシ２０を上下に揺動操作する支持アーム２１と、清掃時の毛屑等の飛散を防ぐカバー２２および支持アーム２１に固定した支軸２３などで構成する。支持アーム２１を支軸２３を中心にして上下揺動することによって、ブラシ２０は内刃３の回転中心軸と平行な姿勢を維持した状態のままで、内刃３の周面に接触する図の清掃位置（図１の状態）と、かみそり本体１の外面に待機格納される待機位置（図６の状態）とに変位できる。さらに、外刃ホルダー２を装着した状態において、カバー２２が外刃６の外面に覆い被さる外刃保護位置（図７の状態）とに変位できるようになっている。
【００３６】
図６においてブラシ２０は、ねじり合わされた複数の芯線２５の間にブラシ毛に一群を挟持固定して円柱状に形成してある。支持アーム２１は門形の枠体からなり、一対の腕部の先端寄りにおいて、カバー２２を相対揺動自在に軸支している。カバー２２は、断面半円形の樋状の主壁２６と、主壁２６の両側に張り出した側壁２７とを一体に形成したプラスチック成形品からなり、両側壁２７の内面内方に設けた左右一対の軸受壁２４で、ブラシ２０を回転自在に軸支する。主壁２６の周面前後にはそれぞれ一群の通水口２８が通設してある。
【００３７】
内刃３とヘッド４との間には、切断された毛屑を収容する空所Ｓが設けられており、この空所Ｓに臨むヘッド部４の上面に、空所Ｓの前面から流入する水流を、内刃３とブラシ２０とが接触する位置、即ち内刃３の周面裏側へ向かって変向案内するガイド部Ｇを設ける。
【００３８】
図１においてガイド部Ｇは、ヘッドケース１０の上壁を利用して形成した前段がガイド体（ガイド体）３０と、前段ガイド体３０に連続してヘッドケース１０の上面後部に突設した後段ガイド（ガイド体）３１と、これら両ガイド体３０・３１の左右両側を塞ぐサイドガイド３２と、後段ガイド体３１の上端の設けた補助ガイド体３３とからなる。
【００３９】
水流変向時の抵抗を軽減するために、前段ガイド体３０は、後段ガイド体３１に向かって上り傾斜する逆へ字状の傾斜面壁で形成し、その上端に連続して外刃ホルダー２の背壁を受け止め接当する水平の受面３４を設ける。図５に示すように受面３４の後縁に立設した左右一対の翼壁３５と両翼壁３５より上方に突設した中央の軸受壁３６とで後段ガイド体３１を形成している。先に説明した支持アーム２１の支軸２３は、軸受壁３６に設けた断面Ｃ字形の軸受穴に背面側から圧嵌係合される。この後段ガイド体３１の背面下方の格納部３７に清掃具を待機格納する。
【００４０】
サイドガイド３２は、ヘッドケース１０に嵌め込み固定される左右一対の内刃支持枠５が兼ねていて、その対向内面壁によって空所Ｓ内に流入した水流を後段ガイド体３１に向かって案内する。各内刃支持枠５をヘッドケース１０に組み付けた状態において、それぞれの背面下部は図８に示すように後段ガイド体３１の両側前面と密着して互いに補強し合い、それぞれの構造強度を高め合うようにしてある。
【００４１】
補助ガイド体３３は、清掃具の支持アーム２１が兼ねていて、後段ガイド体３１で変向された水流を、支持アーム２１の前面でさらに変向案内して、内刃３とブラシ２０との接触部へと指向させるようにしている。
【００４２】
先に説明したように、ブラシ２０およびカバー２２は支持アーム２１を上下に反転揺動させることによって、待機位置と清掃位置、さらに外刃６の外面を覆う外刃保護位置とに変位操作される。これらの各位置において、ブラシ２０およびカバー２２を遊動不能に位置保持するために、ヘッドケース１０、軸受壁３６、内刃支持枠５の前面、および外刃ホルダー２の両側上面とカバー２２との間にロック構造を設けている。
【００４３】
図６において、格納姿勢を保持する第１のロック構造は、係止ロック３９と、係合ロック４０とからなる。係止ロック３９は、軸受壁３６の上端後縁に突設した係止リブ４１と、カバー２２の内面上部に突出形成した係止突起４２とからなる。係合ロック４０は、カバー２２の外面下部に左右の凹み形成した係合凹部４３と、格納部３７の底面に出没自在に組み付けられた係合ピン４４からなる。係合ピン４４はばね４５で、上方へ突出する向きに進出付勢してある。格納時には、係止突起４２を係止リブ４１に引っ掛け、その状態のままでカバー２２を下方回動操作して、係合凹部４３を係合ピン４４に係合させる。このとき係合凹部４３は、その前面と係止リブ４１とを結ぶ線が、カバー２２と支持アーム２１の連結中心を越えた後に係合ピン４４と係合するので、待機格納したカバー２２には、後段ガイド体３１の側へ引き寄せられる向きの力が作用し、その結果、カバー２２を安定した状態で格納姿勢に維持できる。
【００４４】
図１において、清掃姿勢を保持する第２のロック構造は、左右の内刃支持枠５の前面上部に設けた突起４６と、清掃姿勢に変位した状態において、カバー２２の前側内面の両側に設けられる浅い段部４７とからなり、段部４７を突起４６にパチンと嵌め込むことにより、カバー２２を清掃位置に保持固定できる。清掃時には、内刃３を回転駆動してブラシ２０を連れ回り回転させながら水洗いする。このとき、支持アーム２１には、支軸２３を中心にとし内刃３から遠ざかる向きのモーメントが作用する。しかし、カバー２２と内刃支持枠５との係合点が、ブラシ２０と内刃３との中心を結ぶ線より下方に位置しているので、先のモーメントが大きくなればなるほど、突起４６と段部４７とはより強固に係合し合うので、清掃途中にカバー２２が外れるのを確実に防止できる。このとき、カバー２２によって安全スイッチがオン操作されるが、そのことは後述する。
【００４５】
図４および図７において、外刃保護姿勢を保持する第３ロック構造は、外刃６をアーチ形断面状に保形保持する、左右一対の側枠６ａの外面に凹み形成した凹部４８と、カバー２２の側壁２７に設けた弾性変形可能な係合腕４９、および係合腕４９の下端内面に設けた突起５０とで構成する。この突起５０を先の凹部４８にパチンと嵌め込むことにより、カバー２２を外刃保護姿勢に保持して、外刃６が他物と直接衝突を阻止できる。
【００４６】
図８に示すように外刃ホルダー２は、前段ガイド体３０の前縁に連続する前段壁５２と、ヘッドケース１０の左右側面５３と後段ガイド３１の前側面とに被さって、後段ガイド体３１より前方の空所Ｓと、内刃３および内刃支持枠４の外面を覆い隠す。この装着状態をより安定化して外刃ホルダー２をぐらつきなく支持するために、後段ガイド体３１の後面両側端に、斜めに傾斜するガイド壁５４を形成し、このガイド壁５４に対応して、外刃ホルダー２の背面開口左右側縁に嵌合リブ５５を設けている。嵌合リブ５５をガイド壁５４に沿ってスライド係合すると、外刃ホルダー２の全体がガイド壁５４でかみそり本体１の背面側へ引き寄せられるので、外刃ホルダー２をヘッド部４に対してぐらつきなく装着できる。この装着状態を維持するために、ヘッドケース１０の両側にロック片５６を設け、このロック片５６と係合するロック解除ボタン５７を外刃ホルダー２に設けている。ロック解除ボタン５７を押し込み操作して、ロック片５６をばねに抗して退入操作すると、外刃ホルダー２をヘッド部から取り外すことができる。
【００４７】
外刃ホルダー２をかみそり本体１から取り外した状態でスイッチノブ１１をオン操作すると、剥き出しになった内刃３が回転駆動されて危険である。こうした事態を避けるために、スイッチノブ１１でオン・オフされる主スイッチとは別に、外刃ホルダー２の着脱に連動してモータ７への給電路をオン・オフする安全スイッチ５９を設けておき、外刃ホルダー２を取り外した状態では、安全スイッチ５９がオフ状態に切り換わって、内刃３の駆動を阻止できるようにしている。この安全機構を利用して、カバー２２が清掃位置に位置保持された状態においてのみ、安全スイッチ５９がオン状態に切り換わるようにしている。
【００４８】
具体的には、図９に示すように外刃ホルダー２用の受動片６０と、カバー２２用の受動片６１を備えている連動ピース６２をヘッドケース１０で上下スライド自在に案内し、連動ピース６２をばね６３で上向きに進出付勢する。連動ピース６２の下面には、防水シール６４を介して安全スイッチ５９をオン・オフ操作する操作片６５が設けてある。図８に示すように前者受動片６０は受面３４の右側上面に突出していて、外刃ホルダー２をヘッド部４に装着した状態において、ばね６３に抗して押し込み操作される。また、カバー２２用の受動片６１は、ギヤ伝動機構９を収容する側の内刃支持枠５の内側面に沿って設けられており、カバー２２の段部４７を突起４６に完全に嵌め込んだ状態において、その上端に突設した受腕６１ａがカバー２２の前側下縁で下向きに押し込み操作される。
【００４９】
上記の実施例における清掃体２０は、丸軸の周面に布や皮革を螺旋状の巻き付け装着し、あるいは丸軸に細幅帯状の布や皮革の一端を商口植設して形成することができる。また、まる軸の周面にスポンジ状の多孔体を円筒状に巻状して形成することができる。内刃３は前後２列に設けてあってもよい。
【００５０】
次に、この発明に包含される変形実施例を図１２〜図１８に従って説明する。なお、各変形実施例においては、上記の実施例とおなじ部材に同じ符号を付して、その説明を省略した。
【００５１】
図１２においては、支持アーム２１用の軸受壁３６より前方に後段ガイド体３１を立設し、その上端に斜上向きの補助ガイド体３３を設けた。この場合の両ガイド体３１・３３は、左右の内刃支持枠５間の全長にわたって左右横長に設けてある。補助ガイド体３３は、前方へ突出する水平壁、あるいは前下がり状の傾斜壁で形成することができる。
【００５２】
図１３においては、図１２と同様に後段ガイド体３１を設けて、その前面に複数個の補助ガイド体３３を多段状に設けた。但し、この場合の補助ガイド体３３は下段側から上段側へ向かって、前方突出量が徐々の増加するように設ける。
【００５３】
図１４においては、前段ガイド体３０を複数個のガイド体３０ａ・３０ｂで構成した。各ガイド体３０ａ〜３０ｂは、空所Ｓの前面から後面へ向かうに従って、上方突出量が徐々に増加するように設けた。
【００５４】
図１５においては、後段ガイド体３１をヘッドケース１０で出没自在に案内支持し、ヘッドケース１０内に設けたばね６７で後段ガイド体３１進出付勢した。この場合の後段ガイド体３１は、外刃ホルダー２をヘッド部４に装着すると、ガイド体の全体がばね６７の付勢力に逆らってヘッドケース１０内に退入操作され、外刃ホルダー２をヘッド部４から取り外すと、ガイド体の全体がヘッドケース１０の上面上方へ進出する。
【００５５】
図１６においては、前段ガイド体３０を連続する湾局面で形成し、後段ガイド体３１に近付くほど、湾局面の局率半径を小さく設定して、前面から空所Ｓ内へ流入する水流をより滑らかに変向案内できるようにした。
【００５６】
この発明は、往復動型の内刃３を備えている電気かみそりに適用することができる。例えば、図１７に示すようにヘッド部４の上面後端ガイド体３１を突設し、その左右両端に連続して左右一対のサイドガイド３２を設ける。この場合のガイド体３１の左右幅は内刃３の左右幅と同じか、これより大きく設定する。さらにガイド体３１の上下寸法は、内刃３とヘッド部４の上面との間の間隔、即ち空所Ｓの上下寸法より大きく設定する。
【００５７】
図１８においては、上記の往復動型の電気かみそりに清掃具を付加した。詳しくは、カバー２２の一端をガイド体３１の上端に設けた支軸２３で揺動自在に軸支し、その内面に内刃３と外接するブラシ２０を設けた。この場合のブラシ２０は、基台の片面にブラシ毛を植設して形成した。洗浄時のカバー２２を保持固定するために、サイドガイド３２の前端に突起４６を設け、これにカバー内面の段部４７を係合できるようにしている。カバー２２の前面には通水口６８を設ける。不使用時のカバー２２はヘッド部４の背面に反転格納できる。なお、ガイド体３１の左右両端の背面には、外刃ホルダー２用のガイド壁５４が設けてある。
【図面の簡単な説明】
【図１】清掃具を清掃位置に変位した状態の縦断側面図である。
【図２】ロータリー式電気かみそりの正面図である。
【図３】外刃ホルダーを取り外した状態の正面図である。
【図４】清掃具を待機格納した状態の側面図である。
【図５】清掃具の分解斜視図である。
【図６】清掃具を待機格納した状態の縦断側面図である。
【図７】不使用状態における電気かみそりの側面図である。
【図８】外刃ホルダーを取り外した状態の一部破断側面図である。
【図９】安全スイッチの操作構造を示す縦断側面図である。
【図１０】ロータリー式電気かみそりの背面図である。
【図１１】電気かみそりの洗浄状態を示す一部破断側面図である。
【図１２】ガイド体の変形実施例を示す縦断側面図である。
【図１３】ガイド体の別の変形実施例を示す縦断側面図である。
【図１４】ガイド体の別の変形実施例を示す縦断側面図である。
【図１５】ガイド体の別の変形実施例を示す縦断側面図である。
【図１６】ガイド体の別の変形実施例を示す縦断側面図である。
【図１７】この発明を往復動型の電気かみそりに適用した実施例を示す、かみそりヘッドの正面図と一部破断側面図である。
【図１８】往復動型の電気かみそりのさらに別の実施例を示す正面図と側面図である。
【符号の説明】
１  かみそり本体
２ 外刃ホルダー
３ 内刃
４  ヘッド部
５  内刃支持枠
２０ 清掃体（ブラシ）
２１ 支持アーム
２２ カバー
２４ 支軸
３０  ガイド体（前段ガイド体）
３１  ガイド体（後段ガイド体）
３２  サイドガイド
３３  補助ガイド体
Ｓ 空所
Ｇ ガイド部
【図１】
0004382197.tif 000002
【図２】
0004382197.tif 000003
【図３】
0004382197.tif 000004
【図４】
0004382197.tif 000005
【図５】
0004382197.tif 000006
【図６】
0004382197.tif 000007
【図７】
0004382197.tif 000008
【図８】
0004382197.tif 000009
【図９】
0004382197.tif 000010
【図１０】
0004382197.tif 000011
【図１１】
0004382197.tif 000012
【図１２】
0004382197.tif 000013
【図１３】
0004382197.tif 000014
【図１４】
0004382197.tif 000015
【図１５】
0004382197.tif 000016
【図１６】
0004382197.tif 000017
【図１７】
0004382197.tif 000018
【図１８】
0004382197.tif 000019